(57)【要約】【課題】複数の編生地を並列状に連接した経編地として、編成後の分離が容易で、ヒゲ状の飛び出しを生じさせずに分離でき、製品になる編生地のヘム形状が綺麗で、婦人用下着等の衣類に好適に使用できる経編地を提供する。【解決手段】製品に使用しない捨て編地部２０を介して複数の編生地１０を並列状に連接し、編生地１０と捨て編地部２０の境界部分３０の一つのウエールＷ０において編目抜脱により分離可能な組織で編成し、ウエールＷ０を構成する編生地１０側の糸１１に伸縮性糸、捨て編地部２０側の糸２１に非伸縮性糸を用い、両糸のランナー長に差をつけ、捨て編地部側の糸２１のランナー長を編生地側の糸１１のランナー長より大きくし、編成後に編生地１０と捨て編地部２０をウエールＷ０の編目抜脱により分離でき、分離した編生地１０のヘム部にヒゲ状の飛び出しを生じさせないようにする。【選択図】          図２
2006028701.tif 000002
【特許請求の範囲】
【請求項１】
複数の編生地が製品に使用しない捨て編地部を介して編幅方向に並列状に連接されて編成されてなる経編地であって、
隣接する前記編生地と捨て編地部との境界部分が、少なくとも一つのウエールにおいて編み終わり側から編目の抜脱により分離可能な編組織で編成されており、前記分離可能なウエールにおいては、編生地側の糸と捨て編地部側の糸との少なくとも２本以上の糸よりなり、前記捨て編地部側の糸のランナー長が前記編生地側の糸のランナー長より大きいことを特徴とする経編地。
【請求項２】
前記分離可能なウエールにおける前記編生地側の糸が伸縮性糸であり、また前記捨て編地部側の糸が実質的に伸縮性を有さない非伸縮性糸である請求項１に記載の経編地。
【請求項３】
少なくとも１枚のジャカードガイド筬を有する経編機により編成されてなり、前記編生地と捨て編地部との境界部分の分離可能なウエールでの編組織が、編生地側の糸と捨て編地部側の糸との少なくとも２本の糸が編目を形成するデンビ組織、もしくはプレーンコード組織、あるいは一方側の糸がデンビ組織、他方側の糸がプレーンコード組織であり、前記の両側の糸の編目が順次抜脱可能に形成されてなる請求項１または２に記載の経編地。
【請求項４】
前記編生地側の糸と捨て編地部側の糸との一方について、スカラップ形状に応じた所定のコース数に渡って連続して前記分離可能なウエールに掛けずに編成する部分と、前記分離可能なウエールに掛けて編目形成する通常の編成部分とを交互に編成し、分離した前記編生地のヘム部に波形状のスカラップを形成するようにした請求項１〜３のいずれか１項に記載の経編地。
【請求項５】
前記捨て編地部内に、穴地組織による穴部を適宜設けることにより、分離した前記編み生地のヘム部に波形状のスカラップを形成するようにした請求項１〜４のいずれか１項に記載の経編地。
【請求項６】
請求項１〜５のいずれか１項に記載の経編地であり、伸縮性糸が全面に配されて編成されており、編地全体に伸縮性を有することを特徴とする経編地。
【発明の詳細な説明】
【技術分野】
【０００１】
本発明は、複数の編生地に分離可能な経編地に関するものである。
【背景技術】
【０００２】
従来より、例えば非伸縮性糸と伸縮性糸とを用いて、ジャカードガイド筬を備える経編機により、基布の地編組織を鎖編、デンビ編、サテン編、プレーンコード編、チュール編等を基本とする編組織にして、ジャカードガイド筬により厚地、薄地、穴地等の変化によるレース様の所謂ジャカード柄を構成した伸縮性経編地が知られており、婦人用のショーツ、ガードル、ブラジャー等のファンデーション、スリップ、キャミソール等のランジェリーその他の女性用下着やスポーツウエア等の各種衣料に使用され、さらに細幅の生地については前記女性用下着の肩紐等の紐類にも使用されている。
【０００３】
この伸縮性の経編地は、少なくとも１枚のジャカードガイド筬と１もしくは数枚の地ガイド筬を備える経編機により編成され、例えば、１枚の地ガイド筬により非伸縮性糸を導糸して基布の編目を形成するとともに、他の１枚もしくは２枚の地ガイド筬によりポリウレタン繊維等の伸縮性糸を導糸して挿入編することにより基布の編組織を編成し、基布に大きな伸縮性を付与するとともに、前記ジャカードガイド筬により主に非伸縮成糸を導糸して、所要の柄を構成するように編成する。
【０００４】
前記伸縮性経編地は、通常一般には、衣料としての使用上において求められる所定の幅の複数の編生地を並列状に連接して編成し、編成後に各編生地毎に分離することが行われている。
【０００５】
その分離の手段としては、例えば下記の特許文献１に記載のように、隣接する編生地との連接境界部分を、カッター刃等の刃物を用いるカット方式あるいは噴射液体を利用するウォーターカット方式、あるいはレーザーカット方式によりカットするか、または下記の特許文献２に記載のように、隣接する編生地との間のウエールに抜き糸を配して、両編生地の糸を該抜き糸のウエールに掛けて編成し、編成後に前記抜き糸を解いて除去することにより、各編生地に分離する方式が知られている。
【０００６】
前記のカット方式による場合は、カットした切り口が編生地の側端に残り、該切り口の部分から解れが生じ易くなるばかりか、ヒゲ状の突出した切れ端が生じることになって、外観的に不体裁であり、しかも前記のカット作業にかなりの時間がかかり、作業性にも問題がある。
【０００７】
また、前記の抜き糸方式の場合は、該抜き糸の編成のための地の筬を余分に１枚使用しなければならない場合があり、そのため編生地の組織が制限されるおそれがある上、編成後の分離作業においては、少なくとも１本の抜き糸を解いて取り除く必要があり、その抜き取り作業に手数がかかることにもなっている。
【０００８】
さらに、下記特許文献３のように、前記の抜き糸を使用することなく、分離部分のウエールを編み終わり側からラン（解れ）が発生し易い組織で編成して、分離可能とすることも提案されている。
【０００９】
このように、分離し易い組織で編成することとした場合、分離した編生地の端縁に編目ループを形成していた糸がヒゲ状に飛び出して残存することになり不体裁である。特に、非伸縮性糸を使用した場合に、前記のヒゲ状の飛び出しが目立ち易く、そのままでは衣料等の製品に使用することはできないものである。
【００１０】
そのため、特許文献３では、分離可能なウエールを構成する糸に伸縮性糸を用いて、分離した後に、分離した糸を収縮力で編生地の端縁に沿わせるようにすることで、ヒゲ状の糸の飛び出しを抑制するようにしている。
【００１１】
しかしながら、伸縮性糸を使用するにしても、この伸縮性糸の伸縮力をあまり強くして編成することができないため、ヒゲ状の飛び出しがかなり制限されるにしても皆無ではなく、僅かな飛び出し部分が残存することになり、特に女性用下着等の繊細さが要求される製品にはそのまま使用するのは好ましいものではない。
【００１２】
そうかといって、分離可能なウエールを構成する両編生地の糸のうち、一方の編生地の側のランナー長を小さくし、他方の編生地の側のランナー長を大きくすると、ランナー長を小さくした一方の編生地の側の糸のヒゲ状の飛び出しはなくなるものの、ランナー長を大きくした他方の編生地の側の糸がヒゲ状に残存することになる。また、分離される両編生地の縁部に波形状のスカラップを形成するのも容易ではない。
【特許文献１】特許第３０９９０８５号公報
【特許文献２】特開平１１−２００２０７号公報
【特許文献３】特開２００４−５２１４５号公報
【発明の開示】
【発明が解決しようとする課題】
【００１３】
本発明は、上記に鑑みてなしたものであり、複数の編生地を並列状に連接して編成してなる経編地として、従来のカット方式や抜き糸方式を採用することなく、編成後の各編生地毎への分離作業が容易に行え、しかも分離した編生地の端縁にヒゲ状の糸の飛び出しを殆どあるいは全く生じさせず、綺麗なヘム形状を得ることができ、また編生地縁部に波状のスカラップを形成するのも容易に可能で、女性用下着その他の各種衣料に好適に使用できる経編地を提供するものである。
【課題を解決するための手段】
【００１４】
上記の課題を解決する本発明は、複数の編生地が製品に使用しない捨て編地部を介して編幅方向に並列状に連接されて編成されてなる経編地であって、隣接する前記編生地と捨て編地部の境界部分が、少なくとも一つのウエールにおいて編み終わり側から編目の抜脱により分離可能な編組織で編成されており、前記分離可能なウエールにおいては、編生地側の糸と捨て編地部側の糸との少なくとも２本以上の糸よりなり、前記捨て編地部側の糸のランナー長が前記編生地側の糸のランナー長より大きいことを特徴とする。
【００１５】
この経編地によれば、編成後に、前記捨て編地部を、前記各編生地との境界部分の分離可能なウエールでの編目抜脱により該編生地から分離し除去することにより、各糸抜きやカットを要することなく、各編生地毎に容易に分離できる。
【００１６】
しかも、本発明の経編地においては、前記の分離可能なウエールにおける前記捨て編地部側の糸のランナー長が前記編生地側の糸のランナー長より大きくなっている。すなわち、前記ランナー長の差異により、前記分離可能なウエールがランナー長の小さい前記編生地側に引き寄せられて形成されている。そのため、前記分離可能なウエールを構成する糸が非伸縮性糸であっても、該ウエールで前記編生地と前記捨て編地部とに分離した状態において、製品に使用しない捨て編地部側の端縁には比較的長いヒゲ状の飛び出しが残存するものの、製品になる前記編生地の側の端縁にはヒゲ状の飛び出しが殆ど残らないことになる。この編生地の分離されたヘム部は、カットした場合のようなカット糸屑が残らず綺麗であり、また該分離部分から解れが生じることもない。
【００１７】
特に、前記編生地側の糸が伸縮性糸であり、また前記捨て編地部側の糸が実質的に伸縮性を有さない非伸縮性糸である場合には、前記の分離可能なウエールが前記編生地側の伸縮性糸によりさらに前記編生地側に引き寄せられて形成されるため、該ウエールで編生地と捨て編地部を分離した状態においては、該捨て編地部側のランナー長の大きい非伸縮性糸は比較的長いヒゲ状になって残るが、編生地側の伸縮性糸、特に前記捨て編地部側よりもランナー長が小さい伸縮性糸が収縮して該編生地の端縁に沿うように引きつけられることになって、該編生地の端縁にはヒゲ状の飛び出しが殆ど全く残らないことになり、該編生地のヘム形状がさらに綺麗になる。
【００１８】
また、前記分離可能なウエールにおける前記編生地側の糸が伸縮性糸であれば、前記捨て編地部側の糸が伸縮性糸を用いた場合においても、前記のように両糸のランナー長に差をつけて編成することにより、前記の分離可能なウエールがランナー長の小さい前記編生地側に引きつけられて形成されて、該ウエールで編生地と捨て編地部を分離した状態において、編生地側の伸縮性糸が収縮して端縁に沿うように引きつけられるため、該編生地の端縁にはヒゲ状の飛び出しが殆ど全く残らず、該編生地のヘムが綺麗なものになる。
【００１９】
前記の経編地として、少なくとも１枚のジャカードガイド筬を有する経編機により編成されてなり、前記編生地と捨て編地部との境界部分の分離可能なウエールでの編組織が、編生地側の糸と捨て編地部側の糸との少なくとも２本の糸が編目を形成するデンビ組織、もしくはプレーンコード組織、あるいは一方側の糸がデンビ組織、他方側の糸がプレーンコード組織であり、前記の両側の糸の編目が順次抜脱可能に形成されてなるものが、実施上特に好ましい。
【００２０】
前記の経編地において、前記編生地側の糸と捨て編地部側の糸との一方について、スカラップ形状に応じた所定のコース数に渡って連続して前記分離可能なウエールに掛けずに編成する部分と、前記分離可能なウエールに掛けて編目形成する通常の編成部分とを交互に編成し、分離した前記編生地のヘム部に波形状のスカラップを形成するようにしたものとすることができる。
【００２１】
また、前記捨て編地部内に、穴地組織による穴部を適宜設けることにより、分離した前記編み生地のヘム部に波形状のスカラップを形成することもできる。例えば、前記捨て編地部内に編方向の所要間隔毎に穴地組織による所定の大きさの穴部を形成しておくことにより、編成後に該経編地を幅方向に引っ張って熱セットすれば、前記穴部が開口することで捨て編地部の縁部、つまり該捨て編地部と編生地との境界部分が波形状に変形することになる。そのため、これを前記捨て編地部を編生地との境界部分の前記分離可能なウエールで分離することにより、分離された編生地のヘム部に波形状のスカラップを形成することができる。
【００２２】
前記各発明の経編地としては、伸縮性糸が全面に配されて編成され、編地全体に伸縮性を有するものとすることができる。
【発明の効果】
【００２３】
上記したように本発明の経編地によれば、複数の編生地を製品に使用しない捨て編地部を介して連接状態で並列して編成してあるので、該捨て編地部を、編生地との境界部分の分離のためのウエールでの編目抜脱により各編生地から分離し除去することにより、各編生地毎に容易に分離できる。
【００２４】
しかも、隣接する編生地と捨て編地部の境界部分の分離可能なウエールにおいて、該ウエールを構成する編生地側の糸と捨て編地部側の糸とのランナー長を異にし、捨て編地部側の糸のランナー長を編生地側の糸のランナー長より大きくし、つまり編生地側の糸のランナー長を小さくして編成したことにより、分離した編生地側の糸をヘム部に引きつけて沿わせることができ、以て該編生地のヘム部にヒゲ状の飛び出しが生じることがなく、綺麗なヘム形状をなす編生地を容易にしてかつコスト安価に得ることができる。
【００２５】
特に、前記編生地側の糸に伸縮性糸、また前記捨て編地部側の糸に実質的に伸縮性を有さない非伸縮性糸を用いることにより、これが双方の糸のランナー長の差と相俟って、前記伸縮性糸がその収縮により編生地のヘム部に沿って、ヒゲ状の糸の飛び出しが全く生じないことになり、一層綺麗なヘム部を形成できるものとなる。
【００２６】
また、捨て編地部を利用して、前記編生地のヘム部に装飾性の高いスカラップを形成することも容易であり、このヘムを衣料の縁部にそのまま使用できる編生地を得ることができ、ひいては、例えばショーツ、ガードル、ブラジャー等のファンデーション、スリップ、キャミソール等のランジェリーその他の女性用下着やスポーツウエア等の各種衣料に好適に利用することができる。
【発明を実施するための最良の形態】
【００２７】
次に本発明の実施の形態を図面に示す実施例に基づいて説明する。
【００２８】
図１は本発明の複数の編生地に分離する前の経編地を示す略示斜視図であり、図２（ａ）は同経編地の編生地と捨て編地部との境界部分付近のラッピング状態の１例を示す組織図、同図（ｂ）は同境界部分付近の糸通し状態を示しており、図３はジャカードガイド筬により導糸される糸のみのラッピング状態の１例を示す組織図、図４は分離可能な編組織の拡大図である。
【００２９】
図１において、Ａは編幅方向に複数の編生地１０が製品に使用しない比較的細い幅の捨て編地部２０を介して分離可能に並列状に連接して編成された本発明に係る経編地、主として伸縮性を有する経編地を示している。図中の符号３０，３０は前記編生地１０と捨て編地部２０との境界部分を示す。
【００３０】
前記経編地Ａは、例えば、ジャカード装置により運動が制御される少なくとも１枚のジャカードガイド筬と、他の１枚もしくは複数枚の地ガイド筬とを備える経編機により編成される。ジャカードガイド筬は、筬の運動とは別に、各ガイドが編針ピッチの１針分緯方向に変位が付与されるように設けられており、ジャカード装置の変位プログラムにしたがって制御されて所望の柄の編成が行われる。
【００３１】
そして、前記の経編地Ａが伸縮性を有する場合は、前記各編生地１０において、その構成糸として、非伸縮性糸と伸縮性糸とを用いて編成するものとし、例えば、図２（ａ）のように、１枚のジャカードガイド筬Ｌ１により柄構成のための非伸縮性糸（柄糸）を導糸して、厚地組織、薄地組織、穴地組織等の組み合わせによるレース様の任意の柄を構成するとともに、部分的に基布を構成し、また、他の１枚の地ガイド筬Ｌ２により非伸縮性糸を導糸して基布の編組織における編目を形成するとともに、他の２枚の地ガイド筬Ｌ３，Ｌ４により伸縮性糸を導糸して、前記編目に対して図２（ａ）の例のように挿入し、例えば後述するチュール編や鎖編その他の基布の編組織を編成する。また各捨て編地部２０においても、略同様に編成する。こうして編成することにより、少なくとも編生地１０の部分ではジャカード柄を有し、かつ前記伸縮性糸により経緯両方向または経方向に伸縮性が付与された複数の編生地１０と捨て編地部２０とよりなる前記経編地Ａを得ることができる。
【００３２】
なお、図２（ａ）では、地ガイド筬Ｌ３と地ガイド筬Ｌ４について、便宜的に、他の地ガイド筬Ｌ２及びジャカードガイド筬Ｌ１とは分離して図示しているが、基本的に、前記捨て編地部２０とその両側の編生地１０，１０との境界部分３０，３０の分離のためのウエール（１もしくは数ウエール）の部分を除いて、それぞれ全てのガイドに導糸され挿入される。もちろん、編成すべき編生地１０の形態に応じて、前記地ガイド筬Ｌ３及びＬ４の前記伸縮性糸を部分的に挿入することも、伸縮パワーを変化させるように部分的に伸縮性糸の伸縮力を異にして挿入することも可能である。また、前記地ガイド筬Ｌ３，Ｌ４の一方（例えばＬ４）を省略して編成する場合もある。
【００３３】
また、基布の編目を形成する地ガイド筬Ｌ２についても、後述の分離個所になる少なくとも一つのウエールの部分ではオーバーラップしないように該ウエール付近の１もしくは数ウエール分を除いて全てのガイドに導糸するものとする。ジャカードガイド筬Ｌ１は、基本的に分離個所の前記ウエールＷ０においてオーバーラップし編目形成するように全てのガイドに導糸するものとし、編成上の必要に応じて所要部分で糸抜きにして編成する。
【００３４】
本発明においては、前記のように複数の前記編生地１０を比較的細幅の捨て編地部２０を介して並列状に連接して編成した主として伸縮性の経編地Ａにおいて、前記捨て編地部２０と、その両側の編生地１０，１０との境界部分３０，３０が、少なくとも一つのウエールＷ０において編み終わり側から編目の抜脱により分離可能な編組織で編成される。
【００３５】
例えば、図２（ａ）のように、前記捨て編地部２０とその両側の編生地１０，１０との境界部分３０，３０において、基布を編成する地ガイド筬Ｌ２，Ｌ３，Ｌ４の各糸については、前記境界部分３０における少なくとも一つの分離のためのウエールＷ０には糸が入らないように、それぞれの糸通しを図２（ｂ）のようにして、前記ウエールＷ０を含む１ウエールもしくは複数ウエール分（通常１〜３ウエール程度）を糸抜きで編成するとともに、前記ジャカードガイド筬Ｌ１により導糸される糸については、前記ウエールＷ０では編生地１０側と捨て編地部２０側の少なくとも２本の糸１１、２１が編目形成する組織で、かつ編み終わりの側から編目の抜脱により分離可能な編組織で編成する。なお、１ウエールに沿って編目形成せずに挿入される糸については、前記ウエールＷ０に入っていても構わないが、ここでは糸抜きで編成する場合について説明する。
【００３６】
前記の分離可能な編組織としては、例えば、前記ジャカードガイド筬Ｌ１により導糸される２本の糸１１，２１によるデンビ組織であり、前記分離のためのウエールＷ０における該両糸１１，２１の各編目が、例えば図４に示す編目１１ａ，２１ａのように編み終わり側から順次抜脱可能に編成される組織である。
【００３７】
図中の各ＷとＷ’は、分離のための前記ウエールＷ０を除く編成上の各ウエールを示し、そのうちＷ’は捨て編地部２０のウエールを示している。また、前記捨て編地部２０の編幅、つまりウエール数については、前記ウエールＷ０で分離可能にするための編組織、編生地のヘム形状、分離操作等に応じて適宜設定できる。例えば、図２（ａ）では両側のウエールＷ０，Ｗ０を除く捨て編地部２０のウエール数が３ウエールとされているが、これには限られず、数ウエール以上で、特に好ましくは数ウエールから数十ウエールの範囲で適宜設定して実施できる。
【００３８】
前記の編組織を、ジャカードガイド筬Ｌ１により導糸される糸のラッピング状態のみを示す図３に基づいて説明すると、該ジャカードガイド筬Ｌ１の糸は、前記編生地１０と捨て編地部２０との一つの境界部分３０における少なくとも前記ウエールＷ０を中心とする数ウエール（図２の場合は、捨て編地部２０と両側の境界部分３０を含む１１ウエール）分については、前記編生地１０の他のウエール部分の編組織とは別にして、例えばデンビ編の組織で編成して前記ウエールＷ０で分離できるようにする。
【００３９】
前記のデンビ編の組織は、図４に拡大して示すように、隣接する前記編生地１０と前記捨て編地部２０のそれぞれの生地端に属する前記２本の糸１１，２１が交互に編目形成されるため、編み終わり側、すなわち図面の上方側から前記の編生地１０と捨て編地部２０とを左右に引っ張ることにより、いずれか一方の編目１１ａまたは２１ａを他方の編目２１ａまたは１１ａから順次交互に抜脱させることができる。それゆえ、基布の糸（地ガイド筬Ｌ２，Ｌ３，Ｌ４の糸）が入っていない前記ウエールＷ０において、前述のように編生地１０と捨て編地部２０を編み終わり側より分離させることができる。
【００４０】
また、前記の分離のためのウエールＷ０の両隣に隣接するウエールＷ，Ｗ’では、図２のように前記各編生地１０，１０の基布の編目を形成する地ガイド筬Ｌ２の糸が所要のコース位置において、前記糸１１，２１の編目に結合される編目が形成されているために、該ウエールＷ，Ｗ’では解れが抑制される。そのため、前記のように分離される２本の糸１１，２１は、それぞれ編生地１０及び捨て編地部２０の分離端のウエールＷ，Ｗ’の部分に保持される。
【００４１】
前記の分離可能な編組織としては、図示するデンビ組織には限らず、上記同様に分離可能とする前記ウエールＷ０において、少なくとも２本の糸が編目形成する組織で、かつ該ウエールＷ０において順次編目を抜脱できる種々の編組織による実施が可能である。例えば、図５のようなプレーンコード組織により前記同様に実施できる。また、図６のように、編生地１０と捨て編地部２０の一方側の糸、好ましくは図示のように編生地１０側の糸１１をデンビ組織とし、他方側の糸、好ましくは図のように捨て編地部２０側の糸２１をプレーンコード組織にして、前記同様に順次編目を抜脱可能に構成して実施することができる。
【００４２】
そして、本発明では、前記のような編組織で分離可能なウエールＷ０を構成する少なくとも２本の糸、すなわち前記編生地１０側の糸１１と、捨て編地部２０側の糸２１とについて、例えば編成上での該糸１１，２１の供給部からの送り出し量に差をつけることにより、そのランナー長に差をつけて、前記捨て編地部２０側の糸２１のランナー長を前記編生地１０側の糸１１のランナー長より大きくして、つまりは編生地１０側の糸１１のランナー長を小さくして編成し、前記分離可能なウエールＷ０をランナー長の小さい前記編生地１０の側に引き寄せるようにして編成する。
【００４３】
特に好ましくは、前記編生地１０側の糸１１に伸縮性糸を、他方の捨て編地部２０側の糸２１に実質的に伸縮性を有さない非伸縮性糸をそれぞれ用いた上で、前記のように前記捨て編地部２０側の糸２１（非伸縮性糸）のランナー長を、前記編生地１０側の糸１１（伸縮性糸）のランナー長より大きくし、つまりランナー長の小さい側になる前記伸縮性糸を伸長状態で編成して、該伸縮性糸の収縮力で前記ウエールＷ０をランナー長の小さい編生地１０の側に引き寄せるようにして、かつ該ウエールＷ０で分離可能に構成する。
【００４４】
前記の分離可能なウエールにおける前記編生地１０側の糸１１と捨て編地部２０側の糸２１の双方に伸縮性糸を用いて、あるいは前記双方に非伸縮性糸を用いて編成する場合においても、前記のように両糸１１，２１のランナー長に前記同様に差をつけて編成することができる。
【００４５】
前記の編生地１０側の糸１１と捨て編地部２０側の糸２１のランナー長は、使用する糸の種類や太さ、あるいは分離可能なウエールＷ０の組織等に応じて、下記に例示するように適宜設定して実施できる。
【００４６】
（１）  分離可能なウエールＷ０の組織がデンビ組織で、例えば前記編生地１０側の糸１１に１４０デニールの伸縮性糸を、前記捨て編地部２０側の糸２１に４０デニールの非伸縮性糸を用いる場合、前記糸１１のランナー長を７０ｃｍ前後、前記糸２１のランナー長を１２０ｃｍ前後にする。
【００４７】
（２）  また、前記同様の組織で、例えば前記編生地側の糸１１及び前記捨て編地部側の糸２１の双方に共に１４０デニールの伸縮性糸を用いる場合、前記糸１１のランナー長を７０ｃｍ前後、前記糸２１のランナー長を１００ｃｍ前後にする。
【００４８】
（３）  前記捨て編地部側の糸２１の伸縮力を小さくするように、該糸２１に使用する伸縮性糸を編生地側の糸より細くして、例えば前記編生地側の糸１１に１４０デニールの伸縮性糸、前記捨て編地部側の糸２１に７０デニールの伸縮性糸を用いる場合にも、前記糸１１のランナー長を７０ｃｍ前後、前記糸２１のランナー長を１００ｃｍ前後にする。
【００４９】
（４）  前記同様の組織で、例えば前記編生地側の糸１１に７０デニールのウーリー加工糸、前記捨て編地部側の糸２１に４０デニールの非伸縮性糸を用いる場合、例えば前記糸１１のランナー長を８０ｃｍ前後、前記糸２１のランナー長を１２０ｃｍ前後にする。
【００５０】
（５）  前記同様の組織で、例えば前記編生地側の糸１１及び前記捨て編地部側の糸２１の双方に４０デニールの非伸縮性糸を用いる場合、前記糸１１のランナー長を８０ｃｍ前後、前記糸２１のランナー長を１２０ｃｍ前後にする。
【００５１】
前記編生地１０側の糸１１及び前記捨て編地部２０側の糸２１のランナー長およびその差については、前記の組み合わせの例に限定されるものではないが、実施上は、前記捨て編地部２０側の糸２１のランナー長を、前記編生地１０側の糸１１のランナー長の少なくとも１．２倍以上、特には１．４〜２．０倍程度の範囲に設定するのが好ましい。中でも、編生地１０側の糸１１に伸縮性糸を使用する場合は５０〜１００ｃｍ、捨て編地部２０側の糸２１に非伸縮性糸を使用する場合は８０〜１４０ｃｍに設定するのが好ましい。
【００５２】
また、前記伸縮性糸としては、伸縮性を有するポリウレタン繊維や各種合成繊維加工糸で４０〜２８０デニールの糸が、非伸縮性糸としては各種の合成繊維糸や天然繊維糸で３０〜１００デニールの糸が好ましく使用されるが、これに限定されるものではない。なお、前記ランナー長は１ラック（４８０コース）あたりの送り出し量である。
【００５３】
前記のように構成することにより、前記分離可能なウエールＷ０がランナー長の小さい糸１１の編生地１０側に引き寄せられて形成されるとともに、該ウエールＷ０での前記両糸１１，２１の編目抜脱により、前記編生地１０と前記捨て編地部２０とに分離した状態において、製品に使用しない前記捨て編地部２０側のヘム部になる端縁にはランナー長の大きい糸２１の編目ループ部分がヒゲ状に残ることになっても、前記捨て編地部２０側よりもランナー長の小さい前記編生地１０側の糸１１が、該編生地１０の端縁に沿うように引き寄せられる。
【００５４】
特に、前記編生地１０側の糸１１に伸縮性糸、前記捨て編地部２０側の糸２１に非伸縮性糸を用いて構成した場合には、ランナー長の小さい前記編生地１０側の糸１１がその伸縮性により収縮することで該編生地１０の端縁に沿うようにさらに強く引きつけられるため、該編生地１０の端縁にはヒゲ状の飛び出しが殆ど全く生じないことになる。
【００５５】
そのため、編生地１０の分離により形成されるヘム部は、カットした場合のようなカット糸屑が残らず綺麗であり、また該分離部分から解れが生じることもない。
【００５６】
なお、分離可能なウエールＷ０を構成する編生地１０側の糸１１と、捨て編地部２０側の糸２１の双方に非伸縮性糸を用いて、上記同様に両糸１１，２１のランナー長に差を付けるようにして編成した場合も、前記編生地１０の側の端縁でのヒゲ状の飛び出しをある程度抑制できるが、実施上は、前記のように、編生地側の糸１１に伸縮性糸を、捨て編地部２０側に非伸縮性糸を用いて、ランナー長に差を付けるようにして編成するのが好ましい。
【００５７】
また、本発明は、前記捨て編地部２０の存在を利用して、あるいは前記編生地１０と捨て編地部２０との境界部分３０での分離可能にするための編構造を利用して、分離される編生地１０のヘムに波状をなすスカラップを形成することもできる。
【００５８】
図７はスカラップを形成する場合の編組織の１例を、ジャカードガイド筬Ｌ１により導糸される糸のラッピング状態のみで示している。他の地ガイド筬Ｌ２，Ｌ３，Ｌ４の糸については、それぞれ図２の場合と実質的に同様に編成される。この図７では、前記編生地１０と捨て編地部２０との分離のためのウエールＷ０を構成する前記２本の糸１１，２１のうちの一方、好ましくは捨て編地部２０側の糸２１について、ジャカード制御により、スカラップ形状の特に谷部の形状に応じた所定のコース数、例えば数コース〜数百コースに渡って、より好ましくは数十コース〜数百コースに渡って（図７は便宜的に５コースで示している）連続して、前記分離可能なウエールＷ０に掛けずに編成する鎖編部分１７と、前記スカラップ形状の特に山部の形状に応じた所定コース数、例えば数コース〜数百コースに渡って、好ましくは数コース〜数十コースに渡って図のように１コースおきに前記ウエールＷ０に掛けて編目形成する通常の編成部分１８とを交互に編成し、他方の編生地１０側の糸１１については、上記した実施例と同様に編成する。この場合、前記分離可能なウエールＷ０において、編成上で編目の存在しないコースができないように可溶性糸をジャカードガイド筬Ｌ１に導糸して編み込むのがよく（図中の太線部）、これにより編み易くかつスカラップ端部が安定することになる。
【００５９】
なお、前記分離可能なウエールＷ０で、ジャカードガイド筬Ｌ１に導糸される前記可溶性糸（太線部）と他の糸とが重なって編目形成されるが、通常のジャカードガイド筬は、導糸針（ガイド）が前後に位置をずらして１針おきの交互配列をなしているため、前記の編成も問題なく可能になる。
【００６０】
前記のように編成し、染色工程にて前記可溶性糸を溶解し、編幅方向に引っ張って熱セットすることにより、各編生地１０と捨て編地部２０を分離した状態において、前記ウエールＷ０に掛けない前記鎖編部分１７がスカラップの谷部となり、また前記通常の編成部分１８が山部となり、比較的大きな波状をなす装飾性の高いスカラップを形成できる。スカラップの谷部や山部の大小は、前記の鎖編部分１７及び通常の編成部分１８のコース数によって調整でき、例えば前記コース数を多くすれば、大きい谷部や山部を形成できることになる。このようなコース数の変更は、ジャカード制御を利用することにより容易に行える。
【００６１】
特に、前記編生地１０の糸１１に伸縮性糸を使用して、かつ図のように捨て編生地部２０の糸２１をウエールＷ０に掛けない鎖編部分１７を設定することにより、前記編生地１０のヘム部に波状のスカラップを形成できるとともに、該スカラップの谷部においてヒゲ状の飛び出しを生じさせることがなく、ヘム形状がより美麗で体裁良好なものとなる。
【００６２】
また、前記捨て編地部２０内に穴地組織による穴部を適宜設けることにより、分離した前記編生地１０のヘム部に波状のスカラップを形成することもできる。
【００６３】
図８（ａ）は捨て編地部２０の内部に穴地組織による穴部２３を形成する場合の編組織の１例を示し、図８（ｂ）は同編組織の糸通しの状態を示している。この図８の編組織では、図２の編組織を基本とするものであるが、前記捨て編地部２０のウエール数、つまり分離可能なウエールＷ０，Ｗ０を除くウエール数を４ウエールとして、その中間部に穴地組織を適用している。すなわち、地ガイド筬Ｌ２と地ガイド筬Ｌ３，Ｌ４について幅方向中間のウエールを糸抜きにし、さらにジャカードガイド筬Ｌ１により導糸する糸のうちの１本について、適宜のコース部分（数コース〜数百コース）において、ジャカード制御により、隣接するウエールに掛けずに鎖編する組織にして、前記捨て編地部２０内の所定の位置に穴部２３を形成するようにしている。
【００６４】
このような穴地組織を利用して、例えば図９に示すように、編方向の所定間隔毎に所定の大きさの穴部２３を設定し、編成後に該経編地Ａを幅方向に引っ張って熱セットすれば、前記穴部２３が開口することで、前記捨て編地部２０の縁部、つまり該捨て編地部２０と編生地１０との境界部分３０が波形状に変形することになる。そのため、前記捨て編地部２０を編生地１０との境界部分３０の分離可能なウエールＷ０で分離することにより、分離された編生地１０の端縁すなわちヘム部に波形状のスカラップを形成することができる。このスカラップの波形の山部と谷部の大きさは、前記穴部２３の大きさによって決定できる。
【００６５】
また、前記の穴地組織を利用することにより、例えば図１０に示すように、前記捨て編地部２０の両側部に、大小２種の穴部２３及び２３ａをそれぞれ編方向の所要間隔毎に並列状をなすように形成して、両側の編生地１０，１０との境界部分３０，３０を、それぞれ前記熱セットにより前記大小の穴部２３及び２３ａに対応した波状に変形させることもできる。この場合、両編生地１０，１０を該捨て編地部２０と分離した状態において、それぞれの編生地１０，１０のヘム部に大きい波形状のスカラップあるいは小さい波形状のスカラップを形成することができる。
【００６６】
前記各実施例において、各編生地１０の基布の編組織としては、図２の地ガイド筬Ｌ２の非伸縮性糸で編目形成し、地ガイド筬Ｌ３，Ｌ４により伸縮性糸を挿入する組織、例えば鎖編、デンビ編、サテン編、プレーンコード編、チュール編、メッシュ編等を基本とする各種の編組織での実施が可能である。
【００６７】
例えば、図２及び図８のように、地ガイド筬Ｌ２について、分離のためのウエールＷ０を含む数ウエールＷ０，Ｗ１を糸抜きにして非伸縮性糸を導糸し、所要コース毎に隣接するウエールに移行して編目形成した後、元のウエールに戻して編目形成する組織、所謂チュール組織で編成することができる。
【００６８】
また、図１１のように、１枚のジャカードガイド筬Ｌ１を含む４枚筬の経編機により、前記捨て編地部２０と編生地１０との境界部分３０を除いて、各編生地１０を、地ガイド筬Ｌ２，Ｌ３によりそれぞれ非伸縮性糸を１イン１アウトで導糸して、交互に左右に隣接するウエールに移行して編目形成する組織で編成するとともに、他の地ガイド筬Ｌ４により伸縮性糸を導糸して、同一ウエール内に挿入する組織とし、略パワーネット組織とすることができる。
【００６９】
この場合、分離のためのウエールＷ０を含む数ウエールの部分については、各地ガイド筬Ｌ２，Ｌ３，Ｌ４の糸を糸抜きにしておき、分離可能なように編成する。また、前記境界部分３０での分離の手段についても、例えばジャカードガイド筬により導糸する少なくとも２本の糸の編目抜脱により編組織を利用して前記と同様に実施できる。
【００７０】
上記したいずれの実施例の場合も、複数の編生地１０を捨て編地部２０を介して連接状態で並列して編成した伸縮性の経編地Ａとして、従来のように隣接する編生地同士の間に抜き糸を介在させなくても、また刃物等によるカット手段を利用しなくても、編成後の簡単な引っ張り操作で、分離のためのウエールＷ０において編目形成している２本の糸１１，２１の編目１１ａ，２１ａを交互に抜脱することより、各編生地１０と捨て編地部２０とを分離し、各編生地１０毎に容易に分離できる。そのため、編成後の分離作業を効率化でき、かつヘム部１０ａの綺麗な品質の良い編生地１０を、容易にしてかつコスト安価に製造することができ、該編生地の生産性、ひいては該編生地により製作する女性用下着等の各種衣類の生産性を高めることができる。
【００７１】
なお、上記した実施例では、ジャカードガイド筬により導糸する糸の編組織を利用して分離可能に編成する場合を示したが、これに限らず、基布を編成する糸を編生地と捨て編地部との間の少なくとも一つのウエールで分離可能な編組織にして実施することもできる。また、ジャカードガイド筬を使用しない伸縮性経編地の編組織においても、捨て編生地を介して連接して編成した複数の編生地に分離する場合において、編生地と捨て編地部との間の少なくとも一つのウエールで分離可能な編組織にして実施することもできる。
【００７２】
また、上記した実施例の場合、伸縮性糸を全面に配して編成し、編地全体に伸縮性を有する伸縮性経編地の場合を示したが、このほか、編生地の部分に伸縮性糸を使用せずに、非伸縮性の経編地において、上記したように捨て編地部を利用して分離可能に構成することができる。
【００７３】
いずれにしても、編成後の仕上げ加工においては、該経編地の前記分離可能なウエールの部分からの分離が生じないように、該経編地の編み始め側から加工装置に送り入れるようにするのが望ましい。
【産業上の利用可能性】
【００７４】
本発明は、主として非伸縮性糸と伸縮性糸とを用いて、例えばジャカードガイド筬により厚地、薄地、穴地等の変化によるレース様の所謂ジャカード柄を構成した複数の編生地を、捨て編地部を介して連接してなる伸縮性経編地、さらにはジャカード柄以外の伸縮性経編地を、編成後に複数の前記編生地に分離して、婦人用のショーツ、カードル、ブラジャー等のファンデーション、スリップ、キャミソール等のランジェリーその他の女性用下着やスポーツウエア等の衣類を製作する場合に特に好適に利用できる。
【図面の簡単な説明】
【００７５】
【図１】本発明の複数の編生地に分離する前の経編地を示す略示斜視図である。
【図２】同上の経編地の編生地と捨て編地部との境界部分付近のラッピング状態を示す組織図（ａ）と糸通し図（ｂ）である。
【図３】分離可能に編成する糸のラッピング状態を示す組織図である。
【図４】同上の分離可能な編組織の拡大図である。
【図５】分離可能に編成する糸のラッピング状態の他の例を示す組織図である。
【図６】分離可能に編成する糸のラッピング状態のさらに他の例を示す組織図である。
【図７】本発明の経編地による編生地のヘム部にスカラップを形成する実施例のジャカードガイド筬によるラッピング状態を示す組織図である。
【図８】本発明の経編地の捨て編地部に穴地組織を適用する実施例のラッピング状態を示す組織図（ａ）と糸通し図（ｂ）である。
【図９】同上の穴地組織を適用した実施例の経編地を示す一部の略示平面図である。
【図１０】同上の穴地組織を利用した実施例の経編地の他の例を示す一部の略示平面図である。
【図１１】本発明の経編地の基布組織の他の例の編生地と捨て編地部との境界部分付近のラッピング状態を示す組織図（ａ）と糸通し図（ｂ）である。
【符号の説明】
【００７６】
Ａ    伸縮性経編地
１０    編生地
２０    捨て編地部
３０    編生地と捨て編地部との境界部分
１１    編生地側の糸
１１ａ  編目
２１    捨て編地部側の糸
２１ａ  編目
２３，２３ａ    穴部
Ｌ１    ジャカードガイド筬
Ｌ２，Ｌ３，Ｌ４  地ガイド筬  
Ｗ０    分離可能なウエール
Ｗ，Ｗ’  編成上のウエール
【図１】
2006028701.tif 000003
【図２】
2006028701.tif 000004
【図３】
2006028701.tif 000005
【図４】
2006028701.tif 000006
【図５】
2006028701.tif 000007
【図６】
2006028701.tif 000008
【図７】
2006028701.tif 000009
【図８】
2006028701.tif 000010
【図９】
2006028701.tif 000011
【図１０】
2006028701.tif 000012
【図１１】
2006028701.tif 000013